(57)【要約】【課題】凝縮器の配管の温度降下を補助し、放出される廃熱の温度降下を達成して熱交換の効果を高めることのできる温度降下を補助する板状物体、該板状物体を利用して行う空調設備の廃熱の温度降下方法、及び該板状物体を具える空調機を提供する【解決手段】空調機の底面であって、かつ凝縮器ファンと凝縮器配管との間に板状物体を設け、該凝縮器ファンによって発生する風の一部を該板状物体に沿って移動させ、該空調機の底面の水を風の方向に沿って該凝縮器配管に向かって移動させる。【選択図】図４
2015530556.tif 000002
【特許請求の範囲】
【請求項１】
空調機の底面であって、かつ凝縮器ファンと凝縮器配管との間に設ける板状物体であることを特徴とする空調機の廃熱温度降下を補助する板状物体。
【請求項２】
前記板状物体に複数の孔部を穿設することを特徴とする請求項１に記載の空調機の温度降下を補助する板状物体。
【請求項３】
前記板状物体が、該凝縮器ファン側を高くして傾斜して設けられ、かつ設ける高さを該凝縮器ファンの回転軸より低くすることを特徴とする請求項２に記載の空調機の廃熱温度降下を補助する板状物体。
【請求項４】
前記板状物体の短手方向の底端縁部に凹欠部を形成することを特徴とする請求項３記載の空調機の廃熱温度降下を補助する板状物体。
【請求項５】
板状物体を空調機の底面であって、かつ凝縮器ファンと凝縮器配管との間に設け、該凝縮器ファンを作動させて発生する風の一部を該板状物体に沿った方向に移動させ、該空調機の内部底面の水を該凝縮器配管に向かって移動させることを特徴とする空調機の廃熱温度降下方法。
【請求項６】
前記板状物体に複数の孔部を穿設することを特徴とする請求項５に記載の空調機の廃熱温度降下方法。
【請求項７】
前記板状物体が、該凝縮器ファン側を高くして傾斜して設けられ、かつ設ける高さを該凝縮器ファンの回転軸より低くすることを特徴とする請求項６に記載の空調機の廃熱温度降下方法。
【請求項８】
前記板状物体の短手方向の底端縁部に凹欠部を形成することを特徴とする請求項７に記載の空調機の廃熱温度降下方法。
【請求項９】
ハウジングと、凝縮器ファンと、凝縮器配管と、蒸発器ファンと、蒸発器配管と、圧縮機と、膨張弁と、制御手段とを含んでなり、
該凝縮器ファンと、該凝縮器配管と、該蒸発器ファンと、該蒸発器配管と、該圧縮機と、該膨張弁とが該ハウジングに内設され、かつ該制御手段が該蒸発器ファンと該圧縮機とに電気的に接続し、
該凝縮器配管の一端が該圧縮機に接続し、かつ他端が該膨張弁に接続するとともに、該蒸発器配管の一端が該圧縮機に接続し、かつ他端が該膨張弁に接続し、
該凝縮器ファンが該凝縮器配管に向かって設けられ、該蒸発器ファンが該蒸発器配管に向かって設けられる空調機でであって、
該ハウジングの底面であって、該凝縮器ファンと該凝縮器配管との間に板状物体を設けて、該凝縮器ファンによって発生する風の一部を該板状物体に沿って移動させ、該空調機の底面の水を風の方向に沿って該凝縮器配管に向かって移動させるように構成したことを特徴とする空調機。
【請求項１０】
前記板状物体が、該凝縮器ファン側を高くして傾斜して設けられ、かつ設ける高さを該凝縮器ファンの回転軸より低くすることを特徴とする請求項９に記載の空調機。
【発明の詳細な説明】
【技術分野】
【０００１】
この発明は、廃熱温度を下げる板状物体に関し、特に空調機の凝縮器、配管の温度降下を補助する板状物体に関する。
【背景技術】
【０００２】
科学技術の継続的な進歩と、その応用は、生活を更に快適なものに変えた。だが、科学技術のもたらしたものには、プラスの面での公益以外に、マイナス面での損害をも含まれる。近年、地球の温暖化、気候の変化による気象の乱れにともない、世界各地で災害が続いている。このため、環境保全の問題は、ますます重視されており、汚染防止の措置、エネルギー節約のための設備などは、目下工業製品を設計する上での主流の一つとなっている。
【０００３】
空調機について言えば、消費エネルギーを節減することが技術上の重大な課題になっている。その一方では空調機の機能が関心の的となっているが、但し、空調設備から放出される空気熱の環境に対する影響に関しては、注目されていない。人口の密集した都市においては、夥しい数の空調設備から放出される汚濁した熱い空気は、空気の汚染を招き、重大な公害となる。
【０００４】
従来の空調機の一部のものは、内設するファンを利用して水の流れる方向を上向きにし、風の方向に沿って水を外部に排出する方式を採用している。但し、係る方式は、該ファンと空調機の底面との間にある程度の高度の余地を必要とする。このように構成しなければ、ファンの羽根が空調機の底面に当たり、ファンが毀損する。このため、空調機の底面に水が残留し排出できなくなる。この点が構造上の欠点である。
【０００５】
また、塵埃が空調機の底面に付着すると、風によって放出することができない。時間の経過に伴い沈着すると、間接的に放熱効果に影響を与える。
【０００６】
上述するように、廃熱の温度降下は、空調設備の重要な課題であって、特に、如何にして廃熱の放出を減少させるか、環境に対する熱汚染を如何にして減少させるかが、斯業において解決すべき問題となっている。
【発明の概要】
【発明が解決しようとする課題】
【０００７】
この発明は、空調機における凝縮器の配管の温度降下を補助し、放出される廃熱の温度降下を達成して熱交換の効果を高めることのできる温度降下を補助する板状物体を提供することを課題とする。
【０００８】
また、この発明は、空調機における凝縮器の配管の温度降下を補助し、放出される廃熱の温度降下を達成して熱交換の効果を高めることのできる温度降下を補助する板状物体を利用して行う空調設備の廃熱の温度降下方法を提供することを課題とする。
【０００９】
また、この発明は、空調機における凝縮器の配管の温度降下を補助し、放出される廃熱の温度降下を達成して熱交換の効果を高めることのできる温度降下を補助する板状物体を具える空調機を提供することを課題とする。
【課題を解決するための手段】
【００１０】
そこで、本発明者は空調機に見られる欠点に鑑み鋭意研究を重ねた結果、空調機の底面であって、かつ凝縮器ファンと凝縮器配管との間に設ける板状物体と、該板状物体を設けた空調機によって課題を解決でできる点に着眼し、係る知見に基づいて本発明を完成させた。
【００１１】
以下この発明について説明する。請求項１に記載する空調機の廃熱温度降下を補助する板状物体は、空調機の底面であって、かつ凝縮器ファンと凝縮器配管との間に設ける。
【００１２】
請求項２に記載する空調機の温度降下を補助する板状物体は、請求項１における板状物体に複数の孔部を穿設する。
【００１３】
請求項３に記載する空調機の廃熱温度降下を補助する板状物体は、請求項２における板状物体が、該凝縮器ファン側を高くして傾斜して設けられ、かつ設ける高さを該凝縮器ファンの回転軸より低くする。
【００１４】
請求項４に記載する空調機の廃熱温度降下を補助する板状物体は、請求項３における板状物体の短手方向の底端縁部に凹欠部を形成する。
【００１５】
請求項５に記載する空調機の廃熱温度降下方法は、板状物体を空調機の底面であって、かつ凝縮器ファンと凝縮器配管との間に設け、該凝縮器ファンを作動させて発生する風の一部を該板状物体に沿った方向に移動させ、該空調機の内部底面の水を該凝縮器配管に向かって移動させる。
【００１６】
請求項６に記載する空調機の廃熱温度降下方法は、請求項５における板状物体に複数の孔部を穿設する。
【００１７】
請求項７に記載する空調機の廃熱温度降下方法は、請求項６における板状物体が、該凝縮器ファン側を高くして傾斜して設けられ、かつ設ける高さを該凝縮器ファンの回転軸より低くする。
【００１８】
請求項８に記載する空調機の廃熱温度降下方法は、請求項７における板状物体の短手方向の底端縁部に凹欠部を形成する。
【００１９】
請求項９に記載する空調機は、ハウジングと、凝縮器ファンと、凝縮器配管と、蒸発器ファンと、蒸発器配管と、圧縮機と、膨張弁と、制御手段とを含んでなり、
該凝縮器ファンと、該凝縮器配管と、該蒸発器ファンと、該蒸発器配管と、該圧縮機と、該膨張弁とが該ハウジングに内設され、かつ該制御手段が該蒸発器ファンと該圧縮機とに電気的に接続し、
該凝縮器配管の一端が該圧縮機に接続し、かつ他端が該膨張弁に接続するとともに、該蒸発器配管の一端が該圧縮機に接続し、かつ他端が該膨張弁に接続し、
該凝縮器ファンが該凝縮器配管に向かって設けられ、該蒸発器ファンが該蒸発器配管に向かって設けられる空調機であって、
該ハウジングの底面であって、該凝縮器ファンと該凝縮器配管との間に板状物体を設けて、該凝縮器ファンによって発生する風の一部を該板状物体に沿って移動させ、該空調機の底面の水を風の方向に沿って該凝縮器配管に向かって移動させるように構成する。
【００２０】
請求項１０に記載する空調機は、請求項９における板状物体が、該凝縮器ファン側を高くして傾斜して設けられ、かつ設ける高さを該凝縮器ファンの回転軸より低くする。
【発明の効果】
【００２１】
この発明の空調機の温度降下を補助する板状物体は、各種形式の空調機本体に取り付けることができ、市場におけるあらゆる仕様の空調設備に適用でき、互換性が高い。このため、製品の市場への急速な導入が得られるという利点を有する。
【図面の簡単な説明】
【００２２】
【図１】この発明による板状物体を応用した空調機の構造を示した説明図である。
【図２】この発明による板状物体を応用した空調機の局部を拡大した説明図である。
【図３】この発明による板状物体を応用した空調機の局部を拡大した他の説明図である。
【図４】この発明における板状物体を表わした斜視図である。
【図５】他の実施の形態による板状物体を応用した空調機の構造を示した説明図である。
【図６】他の実施の形態による板状物体を応用した空調機の局部を拡大した説明図である。
【図７】他の実施の形態による板状物体を表わした斜視図である。
【発明を実施するための形態】
【００２３】
この発明は、空調機における凝縮器の配管の温度降下を補助し、放出される廃熱の温度降下を達成して熱交換の効果を高めることのできる温度降下を補助する板状物体、該板状物体を利用して行う空調設備の廃熱の温度降下方法、及び該板状物体を具える空調機を提供するものであって、空調機の底面であって、かつ凝縮器ファンと凝縮器配管との間に板状物体を設け、該凝縮器ファンによって発生する風の一部を該板状物体に沿って移動させ、該空調機の底面の水を風の方向に沿って該凝縮器配管に向かって移動させる。係る板状物体、該板状物体を利用して行う空調設備の廃熱の温度降下方法、及び該板状物体を具える空調機の特徴を説明するために、具体的な実施例を挙げ、図面を参照にして以下に詳述する。
【実施例】
【００２４】
この発明による空調機の廃熱の温度降下方法は、次に掲げるステップを含む。即ち、予め板状物体２を空調機１の底面であって、かつ凝縮器ファン２０と凝縮器配管３０との間に設け、次いで、凝縮器ファン２０を作動させて発生する風の一部を板状物体２に沿った方向に移動させ、空調機１の内部底面の水を凝縮器配管３０に向かって移動させる。
【００２５】
板状物体２を空調機１に内設する点に関連して、板状物体２及び上述する方法の効果、効能を以下に説明する。
【００２６】
図１に空調機の内部構造を開示する。図面の開示によれば、空調機１はハウジング１０と、凝縮器ファン２０と、凝縮器配管３０と、蒸発器ファン４０と、蒸発器配管５０と、圧縮機６０と、膨張弁７０と、制御手段８０とを含んでなる。
【００２７】
凝縮器ファン２０と、凝縮器配管３０と、蒸発器ファン４０と、蒸発器配管５０と、圧縮機６０と、膨張弁７０とは、ハウジング１０に内設し、制御手段８０は、蒸発器ファン４０と、圧縮機６０とに電気的に接続する。
【００２８】
凝縮器配管３０は一端が圧縮機６０に接続し、他端が膨張弁７０に接続する。蒸発器配管５０は一端が圧縮機６０に接続し、他端が膨張弁７０に接続する。
【００２９】
凝縮器ファン２０は凝縮器配管３０に向かって設け、蒸発器ファン４０は蒸発器配管５０に向かって設ける。
【００３０】
図２、３に開示するように、板状物体２はハウジングの底面であって、凝縮器ファン２０と凝縮器配管３０との間の位置に設ける。
【００３１】
凝縮器ファン２０を作動させると、図面に矢印で示した風向Ａに沿って、発生する風の一部が板状物体２に沿って移動する。このため、空調機１の底面の水Ｗが風の方向に沿って凝縮器配管３０に向かって移動する。よって、凝縮器配管３０はさらに温度が降下し、吹き出す風も高温には至らない。
【００３２】
板状物体２を設けても、凝縮器ファン２０の羽根の大きさの影響を受けることがない。発生する風力は、ハウジング１０の底面に沈着した塵埃などを水とともに移動させる。よって、効率よく水を利用して温度降下することができ、かつ沈着した塵埃などを排出することができ、さらには、空調機１の清浄作業が便利になる。
【００３３】
図４に開示するように、板状物体２には複数の孔部２１を穿設する。孔部２１を穿設することによって、気流がさらに順調になる。
【００３４】
また、図１から図３に開示するように、板状物体２は傾斜して設ける。即ち、凝縮器ファン２０側を高くする。このため、風力がガイドされて水面を下方に向かって押し圧し、風にしたがって水が動く効率をさらに高めることができる。
【００３５】
また、好ましくは板状物体２を設ける高さを凝縮器ファン２０の回転軸より低くする。
【００３６】
この発明における板状物体は空調機の底面に設ける。実施例においては、板状物体２をハウジング１０の両側に接続し、板状物体２をハウジング１０の底面に近接させて設ける。係る設置方式も、この発明における板状物体を空調機の底面に設けることの範囲に属する。
【００３７】
図５から図７に開示するように、板状物体２には、短手方向の底端縁部に凹欠部２２を形成してもよい。凹欠部２２を形成する上方への流動量が増加し、凝縮器配管３０の温度降下の効力が高まる。
【００３８】
以上はこの発明の好ましい実施の形態であって、この発明の実施の範囲を限定するものではない。よって、当業者の成し得る修正、変更であって、この発明の精神の下においてなされ、かつこの発明に対して均等の効果を有するものは、いずれもこの発明の特許請求の範囲に属するものとする。
【符号の説明】
【００３９】
１           空調機
１０         ハウジング
２           板状物体
２０         凝縮器ファン
２１         孔部
２２         凹欠部
３０         凝縮器配管
４０         蒸発器ファン
５０         蒸発器配管
６０         圧縮機
７０         膨張弁
８０         制御手段
Ａ           風向
Ｗ           水
【図１】
2015530556.tif 000003
【図２】
2015530556.tif 000004
【図３】
2015530556.tif 000005
【図４】
2015530556.tif 000006
【図５】
2015530556.tif 000007
【図６】
2015530556.tif 000008
【図７】
2015530556.tif 000009
【手続補正書】
【提出日】平成26年5月19日(2014.5.19)
【手続補正１】
【補正対象書類名】明細書
【補正対象項目名】全文
【補正方法】変更
【補正の内容】
【発明の詳細な説明】
【技術分野】
【０００１】
この発明は、廃熱温度を下げる板状物体に関し、特に空調機の凝縮器、配管の温度降下を補助する板状物体に関する。
【背景技術】
【０００２】
科学技術の継続的な進歩と、その応用は、生活を更に快適なものに変えた。だが、科学技術のもたらしたものには、プラスの面での公益以外に、マイナス面での損害をも含まれる。近年、地球の温暖化、気候の変化による気象の乱れにともない、世界各地で災害が続いている。このため、環境保全の問題は、ますます重視されており、汚染防止の措置、エネルギー節約のための設備などは、目下工業製品を設計する上での主流の一つとなっている。
【０００３】
空調機について言えば、消費エネルギーを節減することが技術上の重大な課題になっている。その一方では空調機の機能が関心の的となっているが、但し、空調設備から放出される空気熱の環境に対する影響に関しては、注目されていない。人口の密集した都市においては、夥しい数の空調設備から放出される汚濁した熱い空気は、空気の汚染を招き、重大な公害となる。
【０００４】
従来の空調機の一部のものは、内設するファンを利用して水の流れる方向を上向きにし、風の方向に沿って水を外部に排出する方式を採用している。但し、係る方式は、該ファンと空調機の底面との間にある程度の高度の余地を必要とする。このように構成しなければ、ファンの羽根が空調機の底面に当たり、ファンが毀損する。このため、空調機の底面に水が残留し排出できなくなる。この点が構造上の欠点である。
【０００５】
また、塵埃が空調機の底面に付着すると、風によって放出することができない。時間の経過に伴い沈着すると、間接的に放熱効果に影響を与える。
【０００６】
上述するように、廃熱の温度降下は、空調設備の重要な課題であって、特に、如何にして廃熱の放出を減少させるか、環境に対する熱汚染を如何にして減少させるかが、斯業において解決すべき問題となっている。
【発明の概要】
【発明が解決しようとする課題】
【０００７】
この発明は、空調機における凝縮器の配管の温度降下を補助し、放出される廃熱の温度降下を達成して熱交換の効果を高めることのできる温度降下を補助する板状物体を提供することを課題とする。
【０００８】
また、この発明は、空調機における凝縮器の配管の温度降下を補助し、放出される廃熱の温度降下を達成して熱交換の効果を高めることのできる温度降下を補助する板状物体を利用して行う空調設備の廃熱の温度降下方法を提供することを課題とする。
【０００９】
また、この発明は、空調機における凝縮器の配管の温度降下を補助し、放出される廃熱の温度降下を達成して熱交換の効果を高めることのできる温度降下を補助する板状物体を具える空調機を提供することを課題とする。
【課題を解決するための手段】
【００１０】
そこで、本発明者は空調機に見られる欠点に鑑み鋭意研究を重ねた結果、空調機の底面であって、かつ凝縮器ファンと凝縮器配管との間に設ける板状物体と、該板状物体を設けた空調機によって課題を解決でできる点に着眼し、係る知見に基づいて本発明を完成させた。
【００１１】
以下この発明について説明する。請求項１に記載する空調機の廃熱温度降下を補助する板状物体は、空調機の底面であって、かつ凝縮器ファンと凝縮器配管との間に設ける板状物体であって、該板状物体の長手方向の両端を該空調機のハウジングの内壁に接続し、凝縮器ファンから発生する風の一部を該板状物体に沿って移動させ、該空調機内部底面の水を該凝縮器に向かって移動させるように構成する。
【００１２】
請求項２に記載する空調機の温度降下を補助する板状物体は、請求項１における板状物体に複数の孔部を穿設する。
【００１３】
請求項３に記載する空調機の廃熱温度降下を補助する板状物体は、請求項２における板状物体が、該凝縮器ファン側を高くして傾斜して設けられ、かつ設ける高さを該凝縮器ファンの回転軸より低くする。
【００１４】
請求項４に記載する空調機の廃熱温度降下を補助する板状物体は、請求項３における板状物体の短手方向の底端縁部に凹欠部を形成する。
【００１５】
請求項５に記載する空調機の廃熱温度降下方法は、空調機の底面であって、かつ凝縮器ファンと凝縮器配管との間において、板状物体の長手方向の両端を該空調機のハウジングの内壁に接続し、該凝縮器ファンを作動させて発生する風の一部を該板状物体に沿った方向に移動させ、該空調機の内部底面の水を該凝縮器配管に向かって移動させる。
【００１６】
請求項６に記載する空調機の廃熱温度降下方法は、請求項５における板状物体に複数の孔部を穿設する。
【００１７】
請求項７に記載する空調機の廃熱温度降下方法は、請求項６における板状物体が、該凝縮器ファン側を高くして傾斜して設けられ、かつ設ける高さを該凝縮器ファンの回転軸より低くする。
【００１８】
請求項８に記載する空調機の廃熱温度降下方法は、請求項７における板状物体の短手方向の底端縁部に凹欠部を形成する。
【００１９】
請求項９に記載する空調機は、ハウジングと、凝縮器ファンと、凝縮器配管と、蒸発器ファンと、蒸発器配管と、圧縮機と、膨張弁と、制御手段とを含んでなり、
該凝縮器ファンと、該凝縮器配管と、該蒸発器ファンと、該蒸発器配管と、該圧縮機と、該膨張弁とが該ハウジングに内設され、かつ該制御手段が該蒸発器ファンと該圧縮機とに電気的に接続し、
該凝縮器配管の一端が該圧縮機に接続し、かつ他端が該膨張弁に接続するとともに、該蒸発器配管の一端が該圧縮機に接続し、かつ他端が該膨張弁に接続し、
該凝縮器ファンが該凝縮器配管に向かって設けられ、該蒸発器ファンが該蒸発器配管に向かって設けられる空調機であって、
該ハウジングの底面であって、該凝縮器ファンと該凝縮器配管との間において板状物体の長手方向の両端を該空調機のハウジングの内壁に接続し、該凝縮器ファンによって発生する風の一部を該板状物体に沿って移動させ、該空調機の底面の水を風の方向に沿って該凝縮器配管に向かって移動させるように構成する。
【００２０】
請求項１０に記載する空調機は、請求項９における板状物体が、該凝縮器ファン側を高くして傾斜して設けられ、かつ設ける高さを該凝縮器ファンの回転軸より低くする。
【発明の効果】
【００２１】
この発明の空調機の温度降下を補助する板状物体は、各種形式の空調機本体に取り付けることができ、市場におけるあらゆる仕様の空調設備に適用でき、互換性が高い。このため、製品の市場への急速な導入が得られるという利点を有する。
【図面の簡単な説明】
【００２２】
【図１】この発明による板状物体を応用した空調機の構造を示した説明図である。
【図２】この発明による板状物体を応用した空調機の局部を拡大した説明図である。
【図３】この発明による板状物体を応用した空調機の局部を拡大した他の説明図である。
【図４】この発明における板状物体を表わした斜視図である。
【図５】他の実施の形態による板状物体を応用した空調機の構造を示した説明図である。
【図６】他の実施の形態による板状物体を応用した空調機の局部を拡大した説明図である。
【図７】他の実施の形態による板状物体を表わした斜視図である。
【発明を実施するための形態】
【００２３】
この発明は、空調機における凝縮器の配管の温度降下を補助し、放出される廃熱の温度降下を達成して熱交換の効果を高めることのできる温度降下を補助する板状物体、該板状物体を利用して行う空調設備の廃熱の温度降下方法、及び該板状物体を具える空調機を提供するものであって、空調機の底面であって、かつ凝縮器ファンと凝縮器配管との間に板状物体を設け、該凝縮器ファンによって発生する風の一部を該板状物体に沿って移動させ、該空調機の底面の水を風の方向に沿って該凝縮器配管に向かって移動させる。係る板状物体、該板状物体を利用して行う空調設備の廃熱の温度降下方法、及び該板状物体を具える空調機の特徴を説明するために、具体的な実施例を挙げ、図面を参照にして以下に詳述する。
【実施例】
【００２４】
この発明による空調機の廃熱の温度降下方法は、次に掲げるステップを含む。即ち、予め板状物体２を空調機１の底面であって、かつ凝縮器ファン２０と凝縮器配管３０との間に設け、次いで、凝縮器ファン２０を作動させて発生する風の一部を板状物体２に沿った方向に移動させ、空調機１の内部底面の水を凝縮器配管３０に向かって移動させる。
【００２５】
板状物体２を空調機１に内設する点に関連して、板状物体２及び上述する方法の効果、効能を以下に説明する。
【００２６】
図１に空調機の内部構造を開示する。図面の開示によれば、空調機１はハウジング１０と、凝縮器ファン２０と、凝縮器配管３０と、蒸発器ファン４０と、蒸発器配管５０と、圧縮機６０と、膨張弁７０と、制御手段８０とを含んでなる。
【００２７】
凝縮器ファン２０と、凝縮器配管３０と、蒸発器ファン４０と、蒸発器配管５０と、圧縮機６０と、膨張弁７０とは、ハウジング１０に内設し、制御手段８０は、蒸発器ファン４０と、圧縮機６０とに電気的に接続する。
【００２８】
凝縮器配管３０は一端が圧縮機６０に接続し、他端が膨張弁７０に接続する。蒸発器配管５０は一端が圧縮機６０に接続し、他端が膨張弁７０に接続する。
【００２９】
凝縮器ファン２０は凝縮器配管３０に向かって設け、蒸発器ファン４０は蒸発器配管５０に向かって設ける。
【００３０】
図２、３に開示するように、板状物体２はハウジングの底面であって、凝縮器ファン２０と凝縮器配管３０との間の位置に設ける。
【００３１】
凝縮器ファン２０を作動させると、図面に矢印で示した風向Ａに沿って、発生する風の一部が板状物体２に沿って移動する。このため、空調機１の底面の水Ｗが風の方向に沿って凝縮器配管３０に向かって移動する。よって、凝縮器配管３０はさらに温度が降下し、吹き出す風も高温には至らない。
【００３２】
板状物体２を設けても、凝縮器ファン２０の羽根の大きさの影響を受けることがない。発生する風力は、ハウジング１０の底面に沈着した塵埃などを水とともに移動させる。よって、効率よく水を利用して温度降下することができ、かつ沈着した塵埃などを排出することができ、さらには、空調機１の清浄作業が便利になる。
【００３３】
図４に開示するように、板状物体２には複数の孔部２１を穿設する。孔部２１を穿設することによって、気流がさらに順調になる。
【００３４】
また、図１から図３に開示するように、板状物体２は傾斜して設ける。即ち、凝縮器ファン２０側を高くする。このため、風力がガイドされて水面を下方に向かって押し圧し、風にしたがって水が動く効率をさらに高めることができる。
【００３５】
また、好ましくは板状物体２を設ける高さを凝縮器ファン２０の回転軸より低くする。
【００３６】
この発明における板状物体は空調機の底面に設ける。実施例においては、板状物体２の長手方向の両端はハウジング１０の内壁に接続し、板状物体２をハウジング１０の底面に近接させて設ける。係る設置方式も、この発明における板状物体を空調機の底面に設けることの範囲に属する。
【００３７】
図５から図７に開示するように、板状物体２には、短手方向の底端縁部に凹欠部２２を形成してもよい。凹欠部２２を形成する上方への流動量が増加し、凝縮器配管３０の温度降下の効力が高まる。
【００３８】
以上はこの発明の好ましい実施の形態であって、この発明の実施の範囲を限定するものではない。よって、当業者の成し得る修正、変更であって、この発明の精神の下においてなされ、かつこの発明に対して均等の効果を有するものは、いずれもこの発明の特許請求の範囲に属するものとする。
【符号の説明】
【００３９】
１    空調機
１０    ハウジング
２    板状物体
２０    凝縮器ファン
２１    孔部
２２    凹欠部
３０    凝縮器配管
４０    蒸発器ファン
５０    蒸発器配管
６０    圧縮機
７０    膨張弁
８０    制御手段
Ａ    風向
Ｗ    水
【手続補正２】
【補正対象書類名】特許請求の範囲
【補正対象項目名】全文
【補正方法】変更
【補正の内容】
【特許請求の範囲】
【請求項１】
空調機の底面であって、かつ凝縮器ファンと凝縮器配管との間に設ける板状物体であって、該板状物体の長手方向の両端を該空調機のハウジングの内壁に接続し、凝縮器ファンから発生する風の一部を該板状物体に沿って移動させ、該空調機内部底面の水を該凝縮器に向かって移動させるように構成したことを特徴とする空調機の廃熱温度降下を補助する板状物体。
【請求項２】
前記板状物体に複数の孔部を穿設することを特徴とする請求項１に記載の空調機の温度降下を補助する板状物体。
【請求項３】
前記板状物体が、該凝縮器ファン側を高くして傾斜して設けられ、かつ設ける高さを該凝縮器ファンの回転軸より低くすることを特徴とする請求項２に記載の空調機の廃熱温度降下を補助する板状物体。
【請求項４】
前記板状物体の短手方向の底端縁部に凹欠部を形成することを特徴とする請求項３記載の空調機の廃熱温度降下を補助する板状物体。
【請求項５】
空調機の底面であって、かつ凝縮器ファンと凝縮器配管との間において、板状物体の長手方向の両端を該空調機のハウジングの内壁に接続し、該凝縮器ファンを作動させて発生する風の一部を該板状物体に沿った方向に移動させ、該空調機の内部底面の水を該凝縮器配管に向かって移動させることを特徴とする空調機の廃熱温度降下方法。
【請求項６】
前記板状物体に複数の孔部を穿設することを特徴とする請求項５に記載の空調機の廃熱温度降下方法。
【請求項７】
前記板状物体が、該凝縮器ファン側を高くして傾斜して設けられ、かつ設ける高さを該凝縮器ファンの回転軸より低くすることを特徴とする請求項６に記載の空調機の廃熱温度降下方法。
【請求項８】
前記板状物体の短手方向の底端縁部に凹欠部を形成することを特徴とする請求項７に記載の空調機の廃熱温度降下方法。
【請求項９】
ハウジングと、凝縮器ファンと、凝縮器配管と、蒸発器ファンと、蒸発器配管と、圧縮機と、膨張弁と、制御手段とを含んでなり、
該凝縮器ファンと、該凝縮器配管と、該蒸発器ファンと、該蒸発器配管と、該圧縮機と、該膨張弁とが該ハウジングに内設され、かつ該制御手段が該蒸発器ファンと該圧縮機とに電気的に接続し、
該凝縮器配管の一端が該圧縮機に接続し、かつ他端が該膨張弁に接続するとともに、該蒸発器配管の一端が該圧縮機に接続し、かつ他端が該膨張弁に接続し、
該凝縮器ファンが該凝縮器配管に向かって設けられ、該蒸発器ファンが該蒸発器配管に向かって設けられる空調機であって、
該ハウジングの底面であって、該凝縮器ファンと該凝縮器配管との間において板状物体の長手方向の両端を該空調機のハウジングの内壁に接続して、該凝縮器ファンによって発生する風の一部を該板状物体に沿って移動させ、該空調機の底面の水を風の方向に沿って該凝縮器配管に向かって移動させるように構成したことを特徴とする空調機。
【請求項１０】
前記板状物体が、該凝縮器ファン側を高くして傾斜して設けられ、かつ設ける高さを該凝縮器ファンの回転軸より低くすることを特徴とする請求項９に記載の空調機。
【国際調査報告】
2015530556.tif 000010
2015530556.tif 000011